(57)【特許請求の範囲】
【請求項１】
以下の一般構造式を有する色素のホスホロアミダイト誘導体であって、
0004361138.tif 000021
上式において、ＲはＯ−ホスホロアミダイトであり、ｘおよびｙは、独立して、１から１０の間の整数である。
【請求項２】
以下の構造式を有する色素ホスホロアミダイト。
0004361138.tif 000022
【請求項３】
請求の範囲１に記載の色素ホスホロアミダイトによりラベル化したオリゴヌクレオチド。
【請求項４】
請求の範囲２に記載の色素ホスホロアミダイトによりラベル化したオリゴヌクレオチド。
【発明の詳細な説明】
発明の技術分野
本発明は新規かつ有用なシアニン色素に関する。これらの色素はオリゴヌクレオチドおよびデオキシリボヌクレオチドのような生体分子の蛍光ラベルとして有用である。これらの生体分子はホスホロアミダイト（phosphoramidite）を介して直接的または間接的に色素によりラベル化できる。
発明の背景
ＤＮＡ配列決定（sequencing）は分子生物学の重要な分析方法である。この配列決定技法の開発は遺伝子材料の分析および操作の両面において進歩をもたらしてきた。
ＤＮＡ配列決定の周知の方法には、Maxam他（Meth．in Enzym．６５：４９９（１９８０年））に記載されるMaxam-Gilbert化学的分解法およびSanger他（P.N.A.S．USA ７４：５４６３（１９７７年））に記載されるSangerジデオキシ鎖終結法が含まれる。各方法においては、32Ｐによりラベル化されたＤＮＡフラグメント（断片）が発生し、これらがゲル電気泳動法により分析される。これら両方の方法は有用であるが操作が難しくまた処理速度が遅い。
そこで、32Ｐのような短命な放射性同位体に依存しない別の方法が探求されてきた。この結果、蛍光ラベルに基づく別の検出方法が開発された。すなわち、ＤＮＡフラグメントは１種以上の蛍光色素によりラベル化される。さらに、適当な光源（レーザー）で励起することによって色素から特徴的な発光が生じ、その帯域を同定することができる。この方法によれば、微量の生体分子でも検出できる。
これまでに開発された蛍光色素には、高感度の検出態様で種々の生体分子をラベル化するために使用されてきた数多くのシアニン色素がある。例えば、Waggoner他（１９９３年）に付与された米国特許第５，２６８，４８６号はラベル化した成分（要素）の検出および定量化のための大きな吸光係数と量子収率を有する蛍光性のアリールスルホン化シアニン色素を開示および特許請求している。しかしながら、この特許に記載される色素は有用ではあるが、さらに別のシアニン色素が現在探求されている。
近年の固体レーザー技法における進歩によって、６８０ｎｍ近くの波長を有する安価で信頼性の高いレーザー装置が市場において入手できるようになった。このようなレーザーにより励起された適当な色素は電磁スペクトルの近赤外（ＮＩＲ）域において蛍光する。これらの蛍光信号はたいていの生物学的組織による背景の蛍光を伴わない。しかしながら、適当は吸光／蛍光特性と生体分子との結合のための有効な連結基を有する市場で入手可能な色素はごく僅かであって、これらの現在入手可能なものは極めて高価である。
従って、本発明は生体分子をラベル化するために有用な新規なシアニン色素を提供することを目的とする。
発明の開示
新規なスルホン化化合物は種々のタイプの生体分子のラベル化に有用である。これらの化合物は以下の一般式を有しており、
0004361138.tif 000002
この式において、Ｒは−ＯＨ、−ＣＯ2Ｈ、−ＮＨ2、または−ＮＣＳであり、ｘおよびｙは、それぞれ独立して、１乃至１０の整数である。好ましい実施形態の一例において、Ｒは−ＯＨであり、ｘは６でｙは４である。また、別の好ましい実施形態において、Ｒは−ＣＯ2Ｈであり、ｘは５でｙは４である。
Ｒが−ＣＯ2Ｈである本発明の化合物は生体分子上のアミン基またはヒドロキシル基を介して当該生体分子に連結できる。また、Ｒが−ＮＣＳである本発明の化合物は生体分子上のアミン基を介して当該生体分子に連結できる。Ｒが−ＯＨである本発明の化合物は、最終的にリン酸結合を形成するホスホロアミダイト（phosphoramidite）を介して間接的に生体分子に連結できる。各実施態様において、ラベル化された分子は、その後、固体レーザーにより励起されて当該ラベルの蛍光により高感度で検出することができる。この本発明の色素は溶解性、吸光および発光特性において有利である。
発明を実施するための最良の態様
本発明の（色素）化合物は以下の一般式を有しており、
0004361138.tif 000003
この式において、Ｒは−ＯＨ、−ＣＯ2Ｈ、−ＮＨ2、または−ＮＣＳであり、各ｘおよびｙは、独立して、１乃至約１０の整数である。好ましい実施形態において、各ｘおよびｙは、独立して、約２から６の間の整数である。さらに、最も好ましい実施形態の一例において、上記色素はＮ−（６−ヒドロキシヘキシル）Ｎ’−（４−スルホナートブチル）−３，３，３’，３’−テトラメチルベンズインドジカルボシアニン［N-(6-hydroxyhexyl)N’-(4-sulfonatobutyl)-3，3，3’3’-tetramethylbenz(e)indodicarbocyanine］であり、当該化合物は以下の構造式を有している。
0004361138.tif 000004
さらに、最も好ましい実施形態の別の例において、上記色素はＮ−（５−カルボキシペンチル）Ｎ’−（４−スルホナートブチル）３，３，３’，３’−テトラメチルベンズインドジカルボシアニン［N-(5-carboxypentyl)N’-(4-sulfonatobutyl)-3，3，3’3’-tetramethylbenz(e)indodicarbocyanine］であり、当該化合物は以下の構造式を有している。
0004361138.tif 000005
すなわち、これら２種の色素は６−ブロモヘキサノール、６−ブロモヘキサン酸および１，４−ブタンスルトン（全てAldrich Chemical社（ウィスコンシン州、ミルウォーキー）から入手可能）のような連結基の前駆体が市場において入手可能である点で好ましい。これらの連結基は上記組織と生体分子を過剰な疎水性を付与することなく効率良く連結するのに適する距離を保つ。この結果として得られるラベル化した生体分子は水に対する一定の溶解性を維持しながら酵素に対して良好な許容性を有する。
本発明の色素は上記Ｒが−ＣＯ2Ｈまたは−ＯＨの場合に、適当なＮ−（カルボキシアルキル）−またはＮ−（ヒドロキシアルキル）−１，１，２−トリメチル−１Ｈ−ベンズインドーリニウム・ハライド、好ましくはブロマイドと、スルホナートブチル−１，１，２−トリメチル−１Ｈ−ベンズインドールとを約０．９：１乃至約１：０．９、好ましくは１：１の相対モル比でピリジンのような有機溶媒中において加熱還流してから、１，３，３−トリメトキシプロペンを反応生成物に対して約１：１乃至約３：１の相対モル比で加えて還流を続けることにより、以下の実施例において記述するように合成できる。次に、この混合物を冷却してエーテルのような有機溶媒中に注ぎ込む。この結果得られる固体物または半固体物を一連のメタノール／クロロホルム溶媒によるシリカゲルカラムでのクロマトグラフィによって精製できる。
さらに、別の２段階合成法もまた後述の実施例に記載しており、Ｎ−４−スルホナートブチル−１，１，２−トリメチル−１Ｈ−ベンズインドールと、マロンアルデヒドビス（フェニルイミン）−モノヒドロクロライドとを１：１のモル比で無水酢酸中に溶解して、その混合物を加熱する。その後、無水酢酸を高真空下に除去して残留物をエーテルのような有機溶媒により洗浄する。得られた残留固体物を乾燥してから、適当なＮ−（カルボキシアルキル）−またはＮ−（ヒドロキシアルキル）−１，１，２−トリメチル−１Ｈ−ベンズインドールニウム・ハライドとピリジンのような有機溶媒の存在下に混合する。この反応混合物を加熱した後に溶媒を減圧下に除去すると、クルード（粗）な所望の色素化合物が残る。なお、上記の方法はErnst，L．A.他（Cytometry １０：３−１０（１９８９年））に記載される２段階法を応用したものである。
また、アミンまたはイソチオシアネート末端基を持った本発明の色素も合成することができる。例えば、Ｎ−（ω−アミノ−アルキル）−１，１，２−トリメチル−１Ｈ−ベンズインドーリニウムブロマイド・ヒドロブロマイド（N．NarayananおよびG．Patonay（J．Org．Chem．６０：２３９１−５（１９９５年）におけるように合成したもの）を反応させてＲが−ＮＨ2である上記構造式（１）の色素が形成できる。さらに、これらのアミノ色素の塩は、クロロホルムのような有機溶媒および水性炭酸ナトリウム中においてチオホスゲンと室温で処理することにより対応するイソチオシアネート体に変換できる。
本発明の色素化合物は６８０ｎｍ近くにおいて最大吸光度を有する。従って、これらの色素化合物は小形で信頼性の高い安価なこの波長において発光する市販のレーザーダイオードにより効率良く励起することができる。適当な市販のレーザーダイオードとしては、例えば、Toshiba ＴＯＬＤ９２２５、ＴＯＬＤ９１４０およびＴＯＬＤ９１５０、Phillips ＣＱＬ８０６Ｄ、Blue Sky Research ＰＳ  ０１５−００およびNEC ＮＤＬ３２３０ＳＵ等がある。このような近赤外／遠赤波長はまた生体組織内においてこの領域における背景の蛍光が通常低いことと高感度が実現できることにおいて有利である。
上記の色素のヒドロキシル、カルボキシルおよびイソチオシアネート基はタンパク、ペプチド、酵素基質、ホルモン、抗体、抗原、ハプテン（部分抗原）、アビジン、ストレプトアビジン、炭水化物、オリゴ糖、多糖類、核酸、デオキシ核酸、ＤＮＡまたはＲＮＡのフラグメント、細胞およびペプチド核酸（ＰＮＡ）のような生物学的フラグメントの合成的組合わせを含む広範な種々の重要な生物学的分子に結合するための連結基となる。
本発明の色素は、それらが可溶性の生体分子に結合するとその生体分子がその溶解度を維持し得るように、水性溶液において十分な溶解度を有している。さらに、これらの色素は有機媒体においても良好な溶解性を有していて、所望材料のラベル化の合成的手法において相当な融通性を供与する。
上記の色素が反応性のカルボキシル基、イソチオシアネート基またはヒドロキシル基のいずれをを有しているかによって、その化合物が関与の生体分子に直接に連結できるか、ホスホロアミダイト（phosphoramidite）化反応を介して間接的に連結できるかが決まる。このホスホロアミダイトはＤＮＡ、ＲＮＡおよびペプチド核酸のような生体分子をラベル化するのに有用である。これらは乾燥アセトニトリルのような乾燥（すなわち、無水）条件下において有用である。一方、カルボン酸反応基は生体分子のアミン基と水または水性有機溶媒混合液中において反応する。
本発明による色素カルボン酸をアミン含有生体分子に連結するには、当該色素カルボン酸をまずＮ−ヒドロキシスクシンイミド（ＮＨＳ）エステルまたは混合酸無水物のようなより反応性の高い形に変換する。その後、アミン含有生体分子をこの得られた活性化した酸と反応してアミド結合を形成する。一般的に、この反応は水性緩衝液およびＤＭＦのような有機性溶媒のｐＨ８乃至ｐＨ９の混合液中において行なわれる。
イソチオシアネート（ＮＣＳ）色素の結合反応はカルボキシ色素の手法と類似しているが、活性化段階を必要としない。すなわち、アミン含有生体分子をＮＣＳ色素と直接に処理してチオ尿素結合体を形成する。一般的に、この反応は水性緩衝液およびＤＭＦのような有機性溶媒のｐＨ８乃至ｐＨ９の混合液中において行なわれる。
上記色素化合物が反応性のヒドロキシル基を有している場合、ＤＮＡまたはＲＮＡのような生体分子にホスホロアミダイト化反応を介して連結する。ホスホロアミダイトを採用することによって、ＤＮＡまたはＲＮＡのラベル化がその合成反応中に行なえる。すなわち、保護したヌクレオチドを固相支持体に結合しながらラベル化する。遊離の５’−ＯＨ基がホスホロアミダイトとテトラゾール活性化剤に反応して亜リン酸エステル（phosphite）結合を形成し、この亜リン酸エステルがその後に酸化されてリン酸エステルになる。その後、ラベル化したＤＮＡまたはＲＮＡがアンモニアまたは他の標準化された手法により固相支持体から切り離される。
本発明の使用例として、本発明の化合物は蛋白質の分析決定用またはＤＮＡの自動配列決定用のラベル化試薬として使用できる。ラベル化したプライマーにより行なわれる標準的な配列決定法によって、高品質のシーケンシング・ラダー（sequencing ladders）を形成することができ、正確なＤＮＡ配列データを得ることができる。
本発明の化合物は、例えば、ヌクレオチド・三リン酸（ｄＮＴＰおよびｄｄＮＴＰ）の類似体と結合して、種々のＤＮＡ分子の酵素ラベル化および自動ＤＮＡ配列決定および分析システムによるこれらＤＮＡ分子の検出のための試薬を生成する。ＤＮＡ配列決定反応生成物はジデオキシ−特異的終結反応に先だって特定のデオキシヌクレオチド単一供給源としてラベル化ｄＮＴＰを用いて制限重合化反応を行なうことによって内部的にラベル化できる。ＰＣＲ生成物もまた制限量のラベル化したｄＮＴＰを増幅反応に添加することによって蛍光的にラベル化できる。このようなラベル化は、例えば、ショートタンデム反復多型（short tandem repeat polymorphisms）の検出に有用であり、当該検出は遺伝子地図、遺伝的診断、法医学分析および父系試験に有用である。
本発明の色素によりラベル化できるヌクレオチド類似体およびＤＮＡ鎖終結剤（chain terminators）の例としては、例えば、米国特許第５，３３２，６６６号、同第５，１５１，５０７号、同第５，０４７，５１９号、同第５，０９１，５１９号、同第４，７１１，９５５号および同第５，２４１，０６０号およびＰＣＴ特許出願公開第ＷＯ  ９５０４７４７号に記載されている。以下に、本発明の色素によりラベル化した２種のヌクレオチド三リン酸類似体の例を示す。
0004361138.tif 000006
これらの式において、ｘおよびｙは、独立して、１から１０の間の整数であり、各Ｍは、独立して、Ｌｉ、Ｎａ、Ｋ、ＮＨ4、（ＣＨ3）3ＮＨ、（ＣＨ3ＣＨ2）3ＮＨ、（ＣＨ3ＣＨ2）4Ｎまたは（ＣＨ3）4Ｎから選択される。
さらに、蛍光色素を結合した終結剤の例としては以下のものがある。
0004361138.tif 000007
0004361138.tif 000008
これらの式においてｘおよびｙは上記の定義と同じである。
これらの蛍光色素ラベル化ＤＮＡ鎖終結剤は蛍光色素ラベル化ＤＮＡ配列決定フラグメントの生成に使用できる。すなわち、電気泳動により分離したフラグメントについて光度検出システムが検出する。この蛍光の検出によって、空間的に分解した帯域を含むゲルを走査（すなわち、空間的分解能評価）したり、当該ゲル上の単一点において検出領域を連続的に通過する帯域を検出する（すなわち、時間的分解能評価）ことが可能になる。
以下、本発明を実施例に基づいて説明する。なお、これらの実施例は例示的目的のみのものであり、本発明の範囲を限定するためのものではない。
実施例１
Ｎ−（６−ヒドロキシヘキシル）Ｎ’−（４−スルホナートブチル）−３，３，３’，３’−テトラメチルベンズインドジカルボシアニンの合成
Aldrich Chemical社（ウィスコンシン州、ミルウォーキー）から入手した９．０ｇの６−ブロモ−１−ヘキサノール（１０５ｍｍｏｌ）およびACROS Organics（Fisher Scientiffic（ペンシルバニア州、ピッツバーグ））から入手した２１．９６ｇの１，１，２−トリメチル−１Ｈ−ベンズインドール（１０５ｍｍｏｌ）を圧力チューブ内において攪拌しながら９５℃乃至１００℃に加熱した。この溶融物を加熱後に３時間かけて固化した。その後、この混合物をさらに３時間加熱し、冷却してから２００ｍｌのクロロホルムに溶解した。この溶液を１００ｍｌの水によって３回抽出した。これらの水層を合わせて１００ｍｌのエーテルによって３回抽出した。この水層を減圧下にエバポレーションしてＮ−（６−ヒドロキシヘキシル）−１，１，２−トリメチル−１Ｈ−ベンズインドーリニウムブロマイド［N-(6-hydroxyhexyl)-1，1，2-trimethyl-1H-benz(e)indolinium bromide］を無色オイルの形態で得た（２６．４ｇ、収率６５％）。さらに、この生成物を精製することなく使用した。
３９０ｍｇのＮ−（６−ヒドロキシヘキシル）−１，１，２−トリメチル−１Ｈ−ベンズインドーリニウムブロマイド（３９０ｍｇ、１ｍｍｏｌ）およびＮ−スルホナートブチル−１，１，２−トリメチル−１Ｈ−ベンズインドール（３９５ｍｇ、１ｍｍｏｌ）（Hamer，F．M．により教示された方法（Cyanine Dyes and Related Compounds，Weissberger，M．A.，ed.，Wiley Interscience，N．Y.，１９６４年）に従って作成）をピリジン（１０ｍｌ）に溶解して３０分間加熱還流した後に、２５０μｌ（２６５ｍｇ、２．０ｍｍｏｌ）の１，３，３−トリメトキシプロペン（ACROS Organicsから入手）を滴下により加えて還流を４５分間継続した。得られた混合物を冷却して１００ｍｌのエーテル中に注ぎ、生じた固形物を各１０ｍｌのエーテルによって数回洗浄した。このクルード（粗）な洗浄生成物を溶媒のエバポレーション処理後に回収して、２リットルの１０％，１５％および２０％メタノール／クロロホルム溶出液により連続してシリカゲルカラム上でクロマトグラフィ処理することによって精製した。回収した精製ヒドロキシ色素の収量は９７ｍｇ（１４％）であった。
上記ヒドロキシ色素のホスホロアミダイトへの変換
上述のようにして作成したヒドロキシ色素（９７ｍｇ、０．１４ｍｍｏｌ）を１０ｍｌの乾燥メチレンクロライドに溶解してアルゴン下に０℃で３０分間攪拌した。この色素溶液に、ビス（Ｎ，Ｎ−ジイソプロピルアミノ）−シアノエチルホスフィンの溶液（２．１３ｍｌ、メチレンクロライド中に０．１５Ｍ）（Monomer Sciences（アラバマ州、ハントスビル））を加えた。この溶液を０℃に維持しながら、テトラゾール（０．１２８ｍｌ、０．５Ｍ）（PerSeptive Biosystems（マサチューセッツ州、フラミンガム）のアセトニトリル溶液を加えた。２０分後に冷却環境を除去して、反応を室温でさらに１．５時間続けた。この反応混合系を５％ＮａＨＣＯ3でクエンチして、水で２回洗浄した後に硫酸ナトリウムにより乾燥した。この溶媒を減圧下に除去して、粗生成物を１．５ｍｌのメチレンクロライド中に取り出した。この生成物はヘキサン中の沈殿により得た。
ラベル化したオリゴヌクレオチド
蛍光色素Ｎ−（６−ヒドロキシヘキシル）Ｎ’−（４−スルホナートブチル）−３，３，３’，３’−テトラメチル−ベンズインドジカルボシアニンのホスホロアミダイトはＤＮＡ合成装置において作成したＤＮＡ分子のラベル化に使用できる。この色素は、保護した支持体結合のオリゴヌクレオチドの５’末端に標準的なホスホロアミダイト化反応により連結する。２００ｎｍｏｌスケールでの合成によって、色素ラベル化したオリゴヌクレオチドが１５０ｎｍｏｌ以上の典型的粗収率で得られる。
各ＤＮＡオリゴヌクレオチドＭ１３ｆｗｄ（−２９）、Ｍ１３ｒｅｖ、Ｔ７，Ｔ３およびＳＰ６をＤＮＡ合成装置（PerSeptive Biosystems Expedite 8909 DNA synthesis machine）において当該装置製造者に教示される標準的試薬および方法に従って合成した。その後、同一の装置を使用して上記において作成した色素ホスホロアミダイトのアセトニトリルにおける０．１Ｍ溶液で処理して蛍光ラベル化物質を各オリゴヌクレオチドの５’末端に結合した。この色素ホスホロアミダイトの結合のために、３分間の遅延をテトラゾール中の色素の合成カラム中への供給後に挟んで、カップリング反応のための付加的な時間を置いた。
その後、５’−蛍光ラベル化ＤＮＡオリゴヌクレオチドを酸化、切離、脱保護およびＨＰＬＣによる精製によって生成した。このラベル化したオリゴヌクレオチドのＨＰＬＣ精製の場合に、１．７ｍｌ／分で、３００Ａ孔径の５μ粒子を有するＣ１８逆相カラム（Waters DeltaPak）を使用した。溶媒Ａは０．１Ｍトリエチルアンモニウムアセテート中の４％アセトニトリルであり、溶媒Ｂは０．１Ｍトリエチルアンモニウムアセテート中の８０％アセトニトリルである。勾配プロファイルは１０％Ｂ／３５分乃至４５％Ｂ／３５分、４５％Ｂ／１５分乃至１００％Ｂ／１５分、１００％Ｂ／１０分乃至１０％Ｂ／１０分以内である。ラベル化したオリゴヌクレオチドは約４０分で溶出した。
このラベル化したオリゴヌクレオチドは、例えば、上述のＤＮＡ配列決定のSanger法におけるプライマー、遺伝子型決定用の末端連結化プライマー（tailed primer）またはハイブリダイゼーションプローブとして使用できる。
実施例２
Ｎ−（５−カルボキシペンチル）Ｎ’−（４−スルホナートブチル）−３，３，３’，３’−テトラメチルベンズインドジカルボシアニンの合成
Ｎ−（５−カルボキシペンチル）−１，１，２−トリメチル−１Ｈ−ベンズインドーリニウムブロマイド（１００ｍｇ、０．２５ｍｍｏｌ）（Hamer，F．M．により教示された方法（Cyanine Dyes and Related Compounds，Weissberger，M．A.，ed.，Wiley Interscience，N．Y.，１９６４年）に従って作成）と、Ｎ−スルホナートブチル−１，１，２−トリメチル−１Ｈ−ベンズインドール（８５ｍｇ、０．２５ｍｍｏｌ）（上記文献（Cyanine Dyes and Related Compounds）に従う）を１０ｍｌのピリジンに溶かして１時間加熱還流した。次いで、還流している溶液中に１，３，３−トリメトキシプロペン（６６ｍｇ、０．５０ｍｍｏｌ）（ACROS Organicsから入手）を滴下により加えて、さらに加熱を２時間続けた。その後、溶媒を減圧下に除去して残留物を実施例１のようなメチレンクロライドとメチレンクロライド／メタノールの勾配プロファイルでシリカゲルカラム・クロマトグラフィにより精製した。目的の色素カルボン酸の収量は８９ｍｇ（０．１２６ｍｍｏｌ、５０％）であった。
上記の色素カルボン酸によるヌクレオチドのラベル化
上記の色素カルボン酸（５ｍｇ、０．００７ｍｍｏｌ）を乾燥ＤＭＦに溶かして、Ｎ，Ｎ−ジイソプロピルエチルアミン（ＤＩＰＥＡ）（２．７５ｍｇ、０．０２１ｍｍｏｌ）により処理してから、エチルクロロホルメート（１．５ｍｇ、０．０１４ｍｍｏｌ）で処理した後に、室温で４時間攪拌した。その後、反応溶媒、ＤＩＰＥＡおよびエチルクロロホルメートを減圧下に除去した。得られた混合酸無水物をさらに処理および精製することなく以下の工程において使用した。
ヌクレオチド三リン酸すなわち８−（５−アミノペンチルアミノ）−２’−デオキシアデノシン−５’−三リン酸（Boehringer Mannheim Biochemicalsから入手）（４．５ｍｇ、０．００７３ｍｍｏｌ、１．０４当量）をｐＨ８．５においてホウ酸緩衝液中に溶かしてから、上述の反応により得たＤＭＦ中の混合酸無水物（０．００７ｍｍｏｌ）（共に同容量）を混合して、その反応物をＨＰＬＣにより処理した。この結果、ラベル化したヌクレオチド共役体をプレパラティブＨＰＬＣにより精製した。
次に、ヌクレオチド三リン酸としてＮ６−デアザ−ｄＡＴＰ（DuPont NENから入手）を用いて同一の処理を行なった。
このラベル化したオリゴヌクレオチドは、例えば、遺伝子型決定またはサイクルラベリングおよびシーケンシグ（ＣＬＳ）に使用できる。
実施例３
別の合成経路
上記文献（Cyanine Dyes and Related Compounds）に記載される方法に従って合成したＮ−４−スルホナートブチル−１，１，２−トリメチル−１Ｈ−ベンズインドール（６９０ｍｇ、２．０ｍｍｏｌ）とマロンアルデヒドビス（フェニルイミン）モノヒドロクロライド（５１８ｍｇ、２．０ｍｍｏｌ）（Aldrich Chemical社（カタログ番号３８３５３−８）から入手）を５０ｍｌの無水酢酸に溶かして、その混合物をオイルバス上で３０分間１２５℃で加熱した。その後、無水酢酸を高真空下に除去して、エーテル（３ｍｌ×１００ｍｌ）で洗浄した。茶色の固体残留物を乾燥し（９００ｍｇ、９３％）、これをさらに精製することなく以下の目的色素の合成に使用した。
実施例１の色素を作成するために、１．２７６ｍｇ（０．５７ｍｍｏｌ）の上記方法により得た塩アダクトをＮ−（６−ヒドロキシヘキシル）−１，１，２−トリメチル−１Ｈ−ベンズインドーリニウムブロマイド（２２４ｍｇ、０．５７ｍｍｏｌ）とフラスコ中で混合して、その固形物をピリジン（１５ｍｌ）中に溶解して、この混合物を１２５℃で３０分間加熱した。次いで、ピリジンを減圧下に除去した。形成された不斉色素はＴＬＣにより単一の色素生成物として検出された。粗収量は約４００ｍｇであった。シリカゲルカラムによる精製によって９０％以上の収率が予測される。
また、実施例２の色素を作成するために、同一の方法を行なって、１００ｍｇ（０．２０８ｍｍｏｌ）の塩アダクトを８４ｍｇ（０．２０８ｍｍｏｌ）のＮ−（カルボキシペンチル）−１，１，２−トリメチル−１Ｈ−ベンズインドーリニウムブロマイドと１０ｍｌのピリジン中において混合した。目的生成物の粗収量は約１５０ｍｇであった。シリカゲルカラムによる精製によって９０％以上の収率が予測される。
実施例４
ラベル化したプライマー
実施例１におけるホスホロアミダイト化を介して上記シアニン色素によりラベル化したＭ１３ｆｗｄ（−２９）プライマー（１．５ｐｍｏｌ）を使用してSequiTherm（商標）サイクル・シーケンシングプロトコル（LI-COR社（ネブラスカ州、リンカーン）により発行されたSequencing Bulletin #13）に従ってＭ１３ベクター（Epicentre Technologies Corporation（ウィスコンシン州、マディソン）から購入）（０．２ｐｍｏｌ）を配列決定した。要するに、これらの手法を以下のように行なった。
以下のものを０．５ｍｌマイクロ遠心分離管内に組み合わせた。
M１３ベクター：０．２ｐｍｏｌ
６８０ｎｍ色素ラベル化したＭ１３ｆｗｄ（−２９）プライマー：１．５ｐｍｏｌ
１０×配列決定用緩衝液
SequiTherm（商標）熱安定性ＤＮＡポリメラーゼ
全容積を１７μｌにするためのｄｄＨ2Ｏ
４本の０．２ｍｌサーモサイクラーチューブ（thermocycler tube）をＡ，Ｔ，ＧおよびＣでラベル付けした。各チューブ内に２．０μｌの適当なSequiTherm（商標）長域読取終止（Long-Read Termination）混合物を入れた。上記のマイクロ遠心分離管から４．０μｌのテンプレート／プライマー／酵素混合物をピペットにより４本のサーモサイクラー終結チューブ（thermocycler termination tubes）のそれぞれに移した。
上記４本のそれぞれのサーモサイクラーチューブ内の反応混合物の上に1滴（１０−１５μｌ）の鉱油を滴下した。次いで、これら4本のチューブをサーモサイクラー内に挿入して、このサーモサイクラーを始動した。このサーモサイクラーは以下のサイクルでプログラムした。
ａ．９５℃で２分間、
ｂ．９５℃で３０秒間、
ｃ．６０℃で１５秒間、
ｄ．７０℃で１５秒間、
工程ｂ−ｄを合計３０サイクル繰り返す、
ｅ．４℃で浸漬
これらのサイクル処理の完了後、４．０μｌのSequiTherm（商標）停止溶液を鉱油の下の反応混合物内に注入して完全に混合する。これらのサンプルを９５℃で３分間加熱することにより変性した。
この結果生じたラベル化したＤＮＡフラグメントのアレイをLI-CORモデル４２００自動化ＤＮＡシーケンサーにおける４１ｃｍの電気泳動ゲル（６％脱イオン化LongRanger（商標）溶液）上に充填した。この溶液は以下のように作成した。すなわち、２５．２ｇの尿素を７．２ｍｌのLongRanger（商標）５０％ゲル濃縮物（FMC Bioproducts（メイン州、ロックランド））に加えて、ｄｄＨ2Ｏにより容積を５２．８ｍｌにした。次いで、７．２ｍｌの標準１０×ＴＢＥ緩衝液を加えて、溶液を混合した。このゲル溶液をフィルターカップに加えてフィルター処理した。
次に、電流を加えた。なお、この電気泳動パラメータはLI-COR社により発行される文献（Sequencing Bulletin #28）に記載されるものである。
0004361138.tif 000009
各フラグメントがゲルの他端部における検出器を通過する時に、６８０ｎｍレーザーダイオードで励起することにより蛍光が７１０ｎｍ乃至７５０ｎｍで検出され、高分解能のシーケンスラダーが得られた。
実施例５
ラベル化したｄＡＴＰ類似体（内部ラベル）
実施例２における方法に従って作成したＮ−（５−カルボキシペンチル）Ｎ’−（４−スルホナートブチル）−３，３，３’，３’−テトラメチル−ベンズインドジカルボシアニン（１０ｐｍｏｌ）によりラベル化したＮ６−デアザｄＡＴＰを、ラベル化していないＭ１３ｆｗｄ（−２９）プライマー（４ｐｍｏｌ）と共に用いて、Ｍ１３ベクター（０．３ｐｍｏｌ）（Epicentre Technologies Corporation（ウィスコンシン州、マディソン）から入手）を配列決定した。ＤＮＡを配列決定するためのサイクルラベリングおよびシーケンシング（ＣＬＳ）法は２段階法であって、当該方法はラベル化していないプライマーを３個のｄＮＴＰおよび赤外色素ラベル化ｄＡＴＰにより部分的に延長してラベル化するサイクルラベリングと、このラベル化したプライマーをジデオキシ鎖終結反応に使用するサイクルシーケンシングを含む。なお、この方法はLI-COR社により発行される文献（Sequencing Bulletin #41）の教示に従って行なった。すなわち、この方法を以下のように行なった。
以下の試薬を０．２ｍｌＰＣＲチューブに混合した。
Ｍ１３ベクター：０．３ｐｍｏｌ
プライマー：４ｐｍｏｌ
ｄＮＴＰ混合物（５μＭのｄＣＴＰ、ｄＧＴＰおよびｄＴＴＰ）
色素ラベル化したＮ６−デアザｄＡＴＰ：１０ｐｍｏｌ
１０×SequiTherm（商標）反応緩衝液
SequiTherm（商標）ＤＮＡポリメラーゼ：５ユニット／μｌ
滅菌脱イオン水により全容積を１７μｌにした。
これらの試薬をよく混合して、鉱油の１滴をこの反応混合物上に滴下し、チューブをＭＪリサーチ社サーマルサイクラー内に挿入した。このサーモサイクラーにおいて以下のラベル化反応プログラムを設定した。
ａ．９２℃で２分間、
ｂ．９２℃で３０秒間、
ｃ．４０℃で１０秒間、
ｄ．５０℃で１５秒間、
ｅ．７０℃で１５秒間、
ｂ乃至ｅの工程を合計３０サイクル繰り返す、
ｆ．４℃で浸漬
４本の０．２ｍｌＰＣＲチューブにＡ，Ｔ，ＧおよびＣでラベル化した。各チューブに２．０μｌの適当なLongRead（商標）-LC終結混合液を加えた。各終結混合物に４μｌの上記ラベル化反応物を加えた（鉱油を考慮してＰ２０  Gilson（登録商標）Pipetman（登録商標）により４．２μｌに設定した）。これらの内容物をよく混合して１滴の鉱油を各反応混合物上に配置した。これらのチューブをサーマルサイクラー内に配置して、上記のサイクルシーケンシング反応プログラムを使用した。このサイクルシーケンシングの完了後に、各反応混合物をピペットにより鉱油の下部から取り出して０．５ｍｌチューブ内に入れた。これらのサンプルを９５℃で２分間変性してから氷冷した後に、各サンプルの２．０μｌをLI-CORモデル４２００自動化ＤＮＡシーケンサー内の電気泳動ゲル上に充填して、上記実施例４において記載した条件に従って電流を流した。
各フラグメントがゲルの他端部における検出器を通過する時に、６８０ｎｍレーザーダイオードで励起することにより蛍光が７１０ｎｍ乃至７５０ｎｍで検出された。
〔実施の態様〕
なお、本発明の実施態様として以下のものがある。
１．以下の一般構造式を有する蛍光色素であって、
0004361138.tif 000010
上式において、Ｒは−ＯＨ、−ＣＯ２Ｈ、−ＮＨ２または−ＮＣＳであり、ｘおよびｙは、独立して、１から約１０の間の整数である。
２．前記Ｒが−ＯＨで、ｘが２から６の間の整数であり、ｙが２から６の間の整数である実施態様１に記載の蛍光色素。
３．前記Ｒが−ＣＯＯＨで、ｘが２から６の間の整数であり、ｙが２から６の間の整数である実施態様１に記載の蛍光色素。
４．Ｎ−（６−ヒドロキシヘキシル）Ｎ’−（４−スルホナートブチル）−３，３，３’，３’−テトラメチルベンズインドジカルボシアニン。
５．Ｎ−（５−カルボキシペンチル）Ｎ’−（４−スルホナートブチル）−３，３，３’，３’−テトラメチルベンズインドジカルボシアニン。
６．前記色素におけるＲ基が−ＯＨである、実施態様１に記載の色素のホスホロアミダイト（phosphoramidite）。
７．実施態様１の色素によりラベル化したヌクレオチド類似体。
８．以下の一般構造式から成る色素ラベル化したヌクレオチド類似体であって、
0004361138.tif 000011
上式において各ｘおよびｙは、独立して、１から１０の間の整数であり、各Ｍは、独立して、Ｌｉ、Ｎａ、Ｋ、ＮＨ4、（ＣＨ3）3ＮＨ、（ＣＨ3ＣＨ2）3ＮＨ、（ＣＨ3ＣＨ2）4Ｎまたは（ＣＨ3）4Ｎから選択される。
９．以下の一般構造式から成る色素ラベル化したヌクレオチド類似体であって、
0004361138.tif 000012
上式において各ｘおよびｙは、独立して、１から１０の間の整数であり、各Ｍは、独立して、Ｌｉ、Ｎａ、Ｋ、ＮＨ4、（ＣＨ3）3ＮＨ、（ＣＨ3ＣＨ2）3ＮＨ、（ＣＨ3ＣＨ2）4Ｎまたは（ＣＨ3）4Ｎから選択される。
１０．各ｘおよびｙが２乃至６の整数である実施態様８または実施態様９に記載の色素ラベル化したヌクレオチド類似体。
１１．実施態様１の色素によりラベル化したＤＮＡ鎖終結剤。
１２．以下の一般構造式を有する蛍光色素ラベル化したＤＮＡ鎖終結剤であって、
0004361138.tif 000013
上式において、各ｘおよびｙは、独立して１乃至約１０から選択される整数である。
１３．以下の一般構造式を有する蛍光色素ラベル化したＤＮＡ鎖終結剤であって、
0004361138.tif 000014
上式において、各ｘおよびｙは、独立して１乃至約１０から選択される整数である。
１４．以下の一般構造式を有する蛍光色素ラベル化したＤＮＡ鎖終結剤であって、
0004361138.tif 000015
上式において、各ｘおよびｙは、独立して１乃至約１０から選択される整数である。
１５．以下の一般構造式を有する蛍光色素ラベル化したＤＮＡ鎖終結剤であって、
0004361138.tif 000016
上式において、各ｘおよびｙは、独立して１乃至約１０から選択される整数である。
１６．各ｘおよびｙが独立して２乃至６の整数である実施態様１２、実施態様１３、実施態様１４または実施態様１５のいずれか１項に記載の蛍光色素ラベル化したＤＮＡ鎖終結剤。
１７．Ｎ−（６−ヒドロキシヘキシル）−１，１，２−トリメチル−１Ｈ−ベンズインドーリニウムハライド。
１８．Ｎ−（６−ヒドロキシヘキシル）−１，１，２−トリメチル−１Ｈ−ベンズインドーリニウムブロマイド。
１９．以下の一般構造式を有する色素のホスホロアミダイト誘導体であって、
0004361138.tif 000017
上式において、ＲはＯ−ホスホロアミダイトであり、ｘおよびｙは、独立して、１から約１０の間の整数である。
２０．以下の一般構造式の色素によりラベル化したヌクレオチド類似体であって、
0004361138.tif 000018
上式において、Ｒは−ＯＨ、−ＣＯ2Ｈ、−ＮＨ2または−ＮＣＳであり、ｘおよびｙは、独立して、１から約１０の間の整数である。
２１．以下の一般構造式の色素によりラベル化したＤＮＡ鎖終結剤であって、
0004361138.tif 000019
上式において、Ｒは−ＯＨ、−ＣＯ2Ｈ、−ＮＨ2または−ＮＣＳであり、ｘおよびｙは、独立して、１から約１０の間の整数である。
２２．以下の構造式を有する色素ホスホロアミダイト。
0004361138.tif 000020
２３．実施態様１９に記載の色素ホスホロアミダイトによりラベル化したオリゴヌクレオチド。
２４．実施態様２２に記載の色素ホスホロアミダイトによりラベル化したオリゴヌクレオチド。